(57)【要約】  【課題】  無線通信端末主導でハンドオーバーを行うことが可能な無線通信端末を提供する。  【解決手段】  無線通信端末１０は、ブルートゥースによる通信を行う無線通信端末であって、通信接続中のアクセスポイント（ＡＰ）からの電波の状態を監視する電波状態監視部２０と、通信接続中のＡＰとは別の複数のＡＰのステータスを取得するステータス問合部２２と、ステータス問合部２２にて取得したそれぞれのＡＰのステータスを記憶するステータスリスト記憶部２４と、電波状態監視部２０にて監視中の電波の状態が所定の閾値より劣化した場合に、ステータスリスト記憶部２４に記憶されたそれぞれのＡＰのステータスに基づいて、切替先のＡＰを決定するＡＰ決定部２６と、ＡＰ決定部２６にて決定されたＡＰに接続を切り替える通信制御部２８とを備える。【選択図】  図１
2007006089.tif 000002
【特許請求の範囲】
【請求項１】
ブルートゥースによる通信を行う無線通信端末であって、
通信接続中のアクセスポイントからの電波の状態を監視する電波状態監視手段と、
前記通信接続中のアクセスポイントとは別の複数のアクセスポイントのステータスを取得するステータス問合手段と、
前記ステータス問合手段にて取得したそれぞれのアクセスポイントのステータスを記憶するステータス記憶手段と、
前記電波状態監視手段にて監視中の電波の状態が所定の閾値より劣化した場合に、前記ステータス記憶手段に記憶されたそれぞれのアクセスポイントのステータスに基づいて、切替先のアクセスポイントを決定するアクセスポイント決定手段と、
前記アクセスポイント決定手段にて決定されたアクセスポイントに接続を切り替える接続切替手段と、
を備えたことを特徴とする無線通信端末。
【請求項２】
前記ステータス問合手段は、前記複数のアクセスポイントに随時ステータスの問合せを行うことを特徴とする請求項１に記載の無線通信端末。
【請求項３】
ブルートゥースによる通信を行う無線通信端末であって、
複数のアクセスポイントに接続する複数接続手段と、
前記複数のアクセスポイントのそれぞれのステータスを取得するステータス問合手段と、
前記ステータス問合手段にて取得したそれぞれのアクセスポイントのステータスを記憶するステータス記憶手段と、
前記ステータス記憶手段に記憶されたそれぞれのアクセスポイントのステータスに基づいて、通信を経由するアクセスポイントを決定するアクセスポイント決定手段と、
前記アクセスポイント決定手段にて決定されたアクセスポイントを経由して通信を行う通信手段と、
を備えたことを特徴とする無線通信端末。
【請求項４】
前記ステータス問合手段は、前記複数のアクセスポイントに随時ステータスの問合せを行うことを特徴とする請求項３に記載の無線通信端末。
【請求項５】
前記複数接続手段にて接続された複数のアクセスポイントを、ステータスに応じて、アクティブモードで接続するアクセスポイントと低消費電力モードで接続するアクセスポイントとに分けることを特徴とする請求項３に記載の無線通信端末。
【請求項６】
ブルートゥースによる通信を行う無線通信端末であって、
複数のアクセスポイントをグループ分けした情報を記憶したアクセスポイント情報記憶手段と、
通信接続中のアクセスポイントからの電波の状態を監視する電波状態監視手段と、
前記通信接続中のアクセスポイントとは別の複数のアクセスポイントのステータスを取得するステータス問合手段と、
前記ステータス問合手段にて取得したそれぞれのアクセスポイントのステータスを記憶するステータス記憶手段と、
前記電波状態監視手段にて監視中の電波の状態が所定の閾値より劣化した場合に、通信接続中のアクセスポイントと同じグループに属するアクセスポイントを前記アクセスポイント情報記憶手段から読み出し、読み出したアクセスポイントの中から、前記ステータス記憶手段に記憶されたそれぞれのアクセスポイントのステータスに基づいて、切替先のアクセスポイントを決定するアクセスポイント決定手段と、
前記アクセスポイント決定手段にて決定されたアクセスポイントに接続を切り替える接続切替手段と、
を備えたことを特徴とする無線通信端末。
【請求項７】
ブルートゥースによる通信を行う無線通信端末であって、
複数のアクセスポイントのステータスを取得するステータス問合手段と、
前記ステータス問合手段にて取得したそれぞれのアクセスポイントのステータスを記憶するステータス記憶手段と、
前記ステータス記憶手段に記憶されたそれぞれのアクセスポイントのステータスに基づいて、通信接続するアクセスポイントを決定するアクセスポイント決定手段と、
を備えたことを特徴とする無線通信端末。
【発明の詳細な説明】
【技術分野】
【０００１】
本発明は、ブルートゥース通信機能を有する無線通信端末の回線切替方式に関する。
【背景技術】
【０００２】
従来から、近距離無線データ通信手段としてブルートゥースが知られている。ブルートゥースは、本来、オフィス機器相互間や利用者の周辺などの狭い範囲での通信を目的としたものであるため、機器が半静止状態であることを前提とした通信手段である。機器が無線ゾーンをまたがって移動する場合には、ゾーンの境界で通信が遮断されてしまい、移動しながらの連続的な通信には適していない。
【０００３】
このような問題点を解決する方式として、複数の無線アクセスエージェント間でハンドオーバーを可能にする技術が特許文献１に開示されている。特許文献１に記載された情報提供システムは、情報センタと、複数の無線アクセスエージェントと、移動機とを備えている。この構成により、無線アクセスエージェント間の切替えを行う方法について説明する。
【０００４】
最初に、移動機は、一の無線アクセスエージェントを通じて情報センタと通信している。この状態で、他の無線アクセスエージェントが移動機を検出すると、他の無線アクセスエージェントが移動機とのコネクションを設定する。移動機は、２つの無線アクセスエージェントからの受信レベルを監視し、移動先の無線アクセスエージェントの受信レベルが上回ったことを検出すると、移動機はハンドオーバー要求信号を情報センタに送信する。移動機は、情報センタからハンドオーバー要求応答を受信すると、移動先の無線アクセスエージェントとのコネクションに切り替える。
【特許文献１】特開２００３−１６３９５５号公報
【発明の開示】
【発明が解決しようとする課題】
【０００５】
しかしながら、特許文献１に記載された情報提供システムには、以下のような問題点があった。すなわち、移動機が、無線アクセスエージェントを経由して情報センタにハンドオーバー要求信号を送信し、ハンドオーバー要求応答を受信する方式を採用しているので、通信状態が悪いときにはハンドオーバー要求信号、ハンドオーバー要求応答が破断するおそれがあり、ハンドオーバーできない可能性がある。
【０００６】
また、情報センタがハンドオーバーを管理するシステムなので、移動機が増えた場合には、情報センタの処理負担が増加し、情報センタ本来の機能に影響を及ぼす可能性がある。
【０００７】
そこで、本発明は、上記背景に鑑み、情報センタを利用しないでハンドオーバーを行うことが可能な無線通信端末を提供することを目的とする。
【課題を解決するための手段】
【０００８】
本発明の無線通信端末は、ブルートゥースによる通信を行う無線通信端末であって、通信接続中のアクセスポイントからの電波の状態を監視する電波状態監視手段と、前記通信接続中のアクセスポイントとは別の複数のアクセスポイントのステータスを取得するステータス問合手段と、前記ステータス問合手段にて取得したそれぞれのアクセスポイントのステータスを記憶するステータス記憶手段と、前記電波状態監視手段にて監視中の電波の状態が所定の閾値より劣化した場合に、前記ステータス記憶手段に記憶されたそれぞれのアクセスポイントのステータスに基づいて、切替先のアクセスポイントを決定するアクセスポイント決定手段と、前記アクセスポイント決定手段にて決定されたアクセスポイントに接続を切り替える接続切替手段とを備えた構成を有する。
【０００９】
この構成により、通信接続中のアクセスポイントとは別の複数のアクセスポイントのステータスをステータス記憶手段に記憶しておくので、通信接続していない複数のアクセスポイントのステータスを把握することができる。通信接続中のアクセスポイントからの電波の状態が所定の閾値より劣化した場合にステータス記憶手段に記憶したステータスの情報に基づいて、切替先のアクセスポイントを決定するので、適切なアクセスポイントへ通信接続を切り替えることができる。また、無線通信端末がアクセスポイントのステータスに基づいて切替先を決定する構成により、無線通信端末主導で切替制御を行える。これにより、アクセスポイントから先の通信状態にかかわらず切替処理を行えると共に、切替処理の負担を各無線通信端末に分散できる。
【００１０】
本発明の無線通信端末において、前記ステータス問合手段は、前記複数のアクセスポイントに随時ステータスの問合せを行う構成を有する。
【００１１】
この構成により、ステータス記憶手段に記憶する複数のアクセスポイントの情報を随時更新することができる。
【００１２】
本発明の別の態様の無線通信端末は、ブルートゥースによる通信を行う無線通信端末であって、複数のアクセスポイントに接続する複数接続手段と、前記複数のアクセスポイントのそれぞれのステータスを取得するステータス問合手段と、前記ステータス問合手段にて取得したそれぞれのアクセスポイントのステータスを記憶するステータス記憶手段と、前記ステータス記憶手段に記憶されたそれぞれのアクセスポイントのステータスに基づいて、通信を経由するアクセスポイントを決定するアクセスポイント決定手段と、前記アクセスポイント決定手段にて決定されたアクセスポイントを経由して通信を行う通信手段とを備えた構成を有する。
【００１３】
この構成により、複数のアクセスポイントとの通信接続を確立し、それぞれのアクセスポイントのステータスをステータス記憶手段に記憶しておくので、複数のアクセスポイントのステータスを把握することができる。ステータス記憶手段に記憶したステータスの情報に基づいて、通信を経由するアクセスポイントを決定するので、適切なアクセスポイントを経由して通信することができると共に、アクセスポイントの切替えに要する時間を短縮できる。また、無線通信端末がアクセスポイントのステータスに基づいて通信の経由先を決定する構成により、無線通信端末主導で切替制御を行える。これにより、アクセスポイントから先の通信状態にかかわらず切替処理を行えると共に、切替処理の負担を各無線通信端末に分散できる。
【００１４】
本発明の無線通信端末において、前記ステータス問合手段は、前記複数のアクセスポイントに随時ステータスの問合せを行う構成を有する。
【００１５】
この構成により、ステータス記憶手段に記憶する複数のアクセスポイントの情報を随時更新できる。
【００１６】
本発明の無線通信端末は、前記複数接続手段にて接続された複数のアクセスポイントを、ステータスに応じて、アクティブモードで接続するアクセスポイントと低消費電力モードで接続するアクセスポイントとに分ける構成を有する。
【００１７】
この構成により、無線通信端末およびアクセスポイントの接続の負荷を軽減できる。
【００１８】
本発明の別の態様に係る無線通信端末は、ブルートゥースによる通信を行う無線通信端末であって、複数のアクセスポイントをグループ分けした情報を記憶したアクセスポイント情報記憶手段と、通信接続中のアクセスポイントからの電波の状態を監視する電波状態監視手段と、前記通信接続中のアクセスポイントとは別の複数のアクセスポイントのステータスを取得するステータス問合手段と、前記ステータス問合手段にて取得したそれぞれのアクセスポイントのステータスを記憶するステータス記憶手段と、前記電波状態監視手段にて監視中の電波の状態が所定の閾値より劣化した場合に、通信接続中のアクセスポイントと同じグループに属するアクセスポイントを前記アクセスポイント情報記憶手段から読み出し、読み出したアクセスポイントの中から、前記ステータス記憶手段に記憶されたそれぞれのアクセスポイントのステータスに基づいて、切替先のアクセスポイントを決定するアクセスポイント決定手段と、前記アクセスポイント決定手段にて決定されたアクセスポイントに接続を切り替える接続切替手段とを備えた構成を有する。
【００１９】
この構成により、あらかじめグループ分けされたアクセスポイントの中から、切替先のアクセスポイントを決定できる。切替対象となり得るアクセスポイントをグループ化しておくことにより、切替先として決定される可能性のないアクセスポイントについては、ステータスを取得しない構成とすることができ、ステータス取得の処理を軽減できる。また、無線通信端末がアクセスポイントのステータスに基づいて切替先を決定する構成により、無線通信端末主導で切替制御を行える。これにより、アクセスポイントから先の通信状態にかかわらず切替処理を行えると共に、切替処理の負担を各無線通信端末に分散できる。
【００２０】
本発明の別の態様に係る無線通信端末は、ブルートゥースによる通信を行う無線通信端末であって、複数のアクセスポイントのステータスを取得するステータス問合手段と、前記ステータス問合手段にて取得したそれぞれのアクセスポイントのステータスを記憶するステータス記憶手段と、前記ステータス記憶手段に記憶されたそれぞれのアクセスポイントのステータスに基づいて、通信接続するアクセスポイントを決定するアクセスポイント決定手段とを備えた構成を有する。
【００２１】
この構成により、複数のアクセスポイントのステータスをステータス記憶手段に記憶しておくので、複数のアクセスポイントのステータスを把握することができる。ステータス記憶手段に記憶したステータスの情報に基づいて、通信接続先のアクセスポイントを決定するので、適切なアクセスポイントに通信接続することができる。
【発明の効果】
【００２２】
本発明によれば、無線通信端末が、複数のアクセスポイントのステータスに基づいてアクセスポイントの切替先を決定するので、無線通信端末主導で切替制御を行うことができるというすぐれた効果を有する。
【発明を実施するための最良の形態】
【００２３】
以下、本発明の実施の形態に係る無線通信端末について図面を用いて説明する。
【００２４】
（第１の実施の形態）
図１は、第１の実施の形態に係る無線通信端末１０の構成を示す図である。無線通信端末１０は、ブルートゥースによる通信を行う機能を有する端末である。本実施の形態の無線通信端末１０の説明に先立って、無線通信端末１０が適用される無線通信システム１について説明する。
【００２５】
図２は、無線通信端末１０が適用される無線通信システム１の構成を示す図である。無線通信システム１は、無線通信端末１０の通信相手となる通信相手端末１４と、無線通信端末１０と通信相手端末１４との通信を中継するブルートゥースのアクセスポイント（以下、「ＡＰ」という）１２ａ〜１２ｇを備えている。本明細書では、ＡＰ１２ａ〜１２ｇを総称してＡＰ１２という。
【００２６】
無線通信端末１０は、ブルートゥースの通信範囲内にあるＡＰ１２ａ〜１２ｄと通信を行うことが可能である。図２では、無線通信端末１０は、ＡＰ１２ａ〜１２ｄと通信する例を示している。本実施の形態では、無線通信端末１０は、ＡＰ１２ｃと通信接続し、ＡＰ１２ａ，１２ｂ，１２ｃのステータスの一部である電波状態や各種情報を取得している。
【００２７】
図１に戻って、無線通信端末１０の構成について説明する。図１に示すように、無線通信端末１０は、接続中のＡＰ１２ｃからの電波の状態を監視する電波状態監視部２０と、他のＡＰ１２ａ，１２ｂ，１２ｄのステータスを監視するステータス問合部２２と、ステータス問合部２２によって取得したステータスの情報を記憶するステータスリスト記憶部２４と、ステータスリスト記憶部２４に記憶されたデータに基づいて切替先のＡＰ１２を決定するＡＰ決定部２６と、ＡＰ決定部２６での決定に基づいて通信接続先を切り替える通信制御部２８とを備えている。図２では、ＡＰ１２を７台示しているが、設置台数の制限はない。
【００２８】
図３は、ステータスリスト記憶部２４に記憶されるステータスの一部である通信状態のデータの例を示す図である。ステータスリスト記憶部２４は、無線通信端末１０が７個のＡＰ１２のステータスの情報を記憶した例を示している。ステータスリスト記憶部２４に記憶されるデータは、「ＢＤアドレス」、「接続状態」、「ＲＳＳＩ」、「Ｌｉｎｋ  Ｑｕａｌｉｔｙ」、「接続負荷」である。
【００２９】
「ＢＤアドレス」は、ブルートゥースのデバイスアドレスであり、これによりＡＰ１２が特定される。「接続状態」は、「ＢＤアドレス」によって特定されたＡＰ１２と接続されているか否かを示すデータである。この例では、ＢＤアドレス「0000ABC10001」のＡＰ１２と接続されている。「ＲＳＳＩ」は、ＡＰ１２からの電波の電界強度を示すデータである。値が大きくなるほど電界強度が強いことを示す。「Ｌｉｎｋ  Ｑｕａｌｉｔｙ」は、ＡＰ１２と端末の間の回線品質を示すデータである。値が大きくなるほど回線品質が良いことを示す。「接続負荷」は、ＡＰ１２に接続されたスレーブの台数を示すデータである。
【００３０】
「ＲＳＳＩ」「Ｌｉｎｋ  Ｑｕａｌｉｔｙ」「接続負荷」のデータは、時々刻々と変化する。無線通信端末１０は、随時、それぞれのＡＰ１２に最新の状態を問い合わせ、得られた結果をステータスリスト記憶部２４に更新する。なお、ステータスの取得タイミングは、定期的でもよいし、ランダムでもよい。また、ユーザが取得タイミングを任意に設定する構成としてもよい。
【００３１】
また、ステータスリスト記憶部２４は、「順位」のデータを有している。順位は、複数のＡＰ１２のうち、接続の優先度を示すデータである。本実施の形態では、ＲＳＳＩの値に基づいて順位を決定する。すなわち、ＲＳＳＩの値が大きい方から順に高い優先度を設定する。ＲＳＳＩの値が同じＡＰ１２が存在する場合には、Ｌｉｎｋ  Ｑｕａｌｉｔｙに基づいて順位を決定する。ＲＳＳＩ、Ｌｉｎｋ  Ｑｕａｌｉｔｙが共に同じ値の場合には、接続負荷に基づいて順位を決定する。
【００３２】
次に、本実施の形態の無線通信端末１０の動作について説明する。図４は、無線通信端末１０のメインフローを示す図である。まず、無線通信端末１０のアプリケーションが起動されると、無線通信端末１０は、ＡＰ１２の通信回線制御を開始する（Ｓ１０）。次に、無線通信端末１０は、各種のアプリケーション処理を行うと共に（Ｓ１２）、無線通信端末１０が移動したときの通信回線制御を行う（Ｓ１４）。無線通信端末１０は、回線制御が終了するまで（Ｓ１６）、アプリケーション処理（Ｓ１２）と通信回線制御（Ｓ１４）を並行して行う。アプリケーション処理は、例えば動画配信を受ける場合には、無線通信端末１０は、動画表示のアプリケーション処理を行う。次に、通信回線制御（Ｓ１４）における無線通信端末１０の詳細な動作について説明する。
【００３３】
図５は、無線通信端末１０が周辺にあるＡＰ１２にステータスを問い合わせて、その結果に基づいてステータスを記憶する動作を示す図である。まず、無線通信端末１０は、周辺にあるＡＰ１２を検索する（Ｓ２０）。無線通信端末１０は、ブルートゥースのプロトコルで規定されるインクワイアリを用いて、ＡＰ１２を検索する。
【００３４】
次に、無線通信端末１０は、検索されたＡＰ１２のステータスを取得する（Ｓ２２）。具体的には、無線通信端末１０は、ステータス問合部２２によって、ＡＰ１２にステータスの問合せを行い、ＡＰ１２から問合応答を受信する。なお、ＡＰ１２への問合せの接続が失敗した場合には、問合せをリトライする。ここで、接続失敗か否かを判断するタイムアウト時間、接続リトライ回数、接続リトライ間隔などは、ユーザが任意に設定することができる。
【００３５】
ＡＰ１２から問合応答を受信すると、無線通信端末１０は、受信した問合応答からＡＰ１２のステータスを読み出し、ステータスリスト記憶部２４に記憶しておく（Ｓ２４）。無線通信端末１０は、以上の動作を随時行うことにより、周辺にあるＡＰ１２のステータスをアップデートして、ステータスリスト記憶部２４に記憶しておく。
【００３６】
図６は、無線通信端末１０がＡＰ１２を切り替える動作を示す図である。まず、無線通信端末１０は、いずれかのＡＰ１２と通信回線接続中か否かを判定する（Ｓ３０）。この判定により、通信回線接続中と判定された場合には（Ｓ３０でＹＥＳ）、接続中のＡＰ１２のステータスの情報を取得する（Ｓ３２）。無線通信端末１０は、取得したステータスが通信を継続するのに適切なステータスであるか否かを判定する（Ｓ３４）。例えば、無線通信端末１０は、接続中のＡＰ１２からの電波の状態があらかじめ設定された閾値を上回っている場合にはステータスＯＫと判定し、閾値以下である場合にはステータスＮＧと判定する。ステータスＯＫと判定された場合には（Ｓ３４でＹＥＳ）、無線通信端末１０は、通信回線接続中か否かの判定（Ｓ３０）に移行する。
【００３７】
接続中のＡＰ１２のステータスがＮＧの場合には（Ｓ３４でＮＯ）、無線通信端末１０はステータスリスト記憶部２４から他のＡＰ１２のステータスのリストを読み出す（Ｓ３６）。そして、ステータスの情報をＡＰ決定部２６に渡し、ＡＰ決定部２６は、ステータスのリストに基づいて通信の切替先のＡＰ１２を決定する（Ｓ３８）。そして、無線通信端末１０の通信制御部２８は、決定された切替先のＡＰ１２に通信を切り替える（Ｓ４０）。以上の動作により、接続中のＡＰ１２のステータスが良くない場合には、ステータスの良いＡＰ１２へと切替えることができる。また、図６に示されるように、通信回線接続を行っていない場合（Ｓ３０でＮＯ）、すなわち、無線通信端末１０が最初に通信を開始する場合にも、ステータスのリストに基づいて通信接続先のＡＰ１２を決定することができる（Ｓ３６〜Ｓ４０）。以上、第１の実施の形態の無線通信端末１０について説明した。
【００３８】
本実施の形態の無線通信端末１０は、通信接続中のＡＰ１２とは別の複数のＡＰ１２のステータスをステータスリスト記憶部２４に記憶しておくので、通信接続中以外の複数のＡＰ１２のステータスを把握することができる。通信接続中のＡＰ１２からの電波状態が所定の閾値より劣化した場合にステータスリスト記憶部２４に記憶したステータスのデータに基づいて、切替先のアクセスポイントＡＰ１２を決定するので、適切なアクセスポイントＡＰ１２へ通信接続を切り替えることができる。
【００３９】
また、本実施の形態の無線通信端末１０は、ＡＰ１２のステータスに基づいて切替先を決定するので、無線通信端末１０主導で切替制御を行える。これにより、ＡＰ１２と通信相手端末１４との間の通信状態にかかわらず切替処理を行えると共に、切替処理の負担を複数の無線通信端末１０に分散できる。
【００４０】
上記した第１の実施の形態では、無線通信端末１０は、ＡＰ１２ｃと接続し、通信接続していないＡＰ１２ａ，１２ｂ，１２ｄのステータスを随時取得しているが、通信範囲内にある全ＡＰ１２ａ〜１２ｄと通信接続し、その中から通信を経由するＡＰ１２を決定する構成としてもよい。この構成により、通信を経由するＡＰ１２を切り替えるときに、切替先のＡＰ１２へ接続し直さなくてもよいので、ＡＰ１２の切替えをスムーズに行うことができる。この場合、ステータスの良いＡＰ１２と接続し、ステータスの良くないＡＰ１２を低消費電力モードで接続することが好ましい。これにより、無線通信端末１０およびＡＰ１２の接続負荷を低減できる。
【００４１】
（第２の実施の形態）
図７は、第２の実施の形態の無線通信端末１０の構成を示す図である。第２の実施の形態の無線通信端末１０は、第１の実施の形態の無線通信端末１０と基本的な構成は同じであるが、アクセスポイント情報記憶部（以下、「ＡＰ情報記憶部」という）３０を備える点と、ステータスリスト記憶部２４にリモートホストネームが記憶されている点が異なる。
【００４２】
図８は、第２の実施の形態において、ステータスリスト記憶部２４に記憶されるステータスの一部であるデータの例を示す図である。ステータスリスト記憶部２４には、第１の実施の形態におけるステータスのデータに加えて、「リモートホストネーム」のデータが記憶されている。リモートホストネームは、ＡＰ１２に付された名称である。リモートホストネームが付されることにより、メンテナンス等において、容易にアクセスポイントを特定できる。
【００４３】
図９は、ＡＰ情報記憶部３０に記憶されたデータの例を示す図である。ＡＰ情報記憶部３０には、複数のＡＰ１２をグループ分けした情報が記憶されている。ＡＰ１２のグループ分けは、例えば、ＡＰ１２のロケーションに応じて行われる。本実施の形態では、建物の１階にあるＡＰ１２をＡグループと２階にあるＡＰ１２をＢグループとしている。ＡＰ情報記憶部３０のグループは、ユーザの設定に基づいて更新される。例えば、ＡＰ１２の増設や変更などがあった場合には、ユーザの設定により更新する。
【００４４】
以上のように構成された第２の実施の形態の無線通信端末１０によるＡＰ１２の切替えの動作について説明する。ＡＰ１２の切替えの基本的な動作は、第１の実施の形態と同じであるが、切替先のＡＰ１２の決定方法が異なる。
【００４５】
本実施の形態では、通信接続中のＡＰ１２の電波状態が劣化した場合に、通信接続中のＡＰ１２と同じグループに属するＡＰ１２を、ＡＰ情報記憶部３０から読み出す。図８に示す例では、無線通信端末１０は、リモートホストネーム「ＡＰ１」のＡＰ１２と接続されている。図９に示すＡＰ情報記憶部３０を参照すると「ＡＰ１」はグループＡに属するので、ＡＰ決定部２６はグループＡに属する「ＡＰ２」「ＡＰ４」を読み出す。そして、読み出されたＡＰ１２の中から、ステータスが最も良いＡＰ１２を切替先として決定する。
【００４６】
第２の実施の形態の無線通信端末１０では、同一グループの中から切替先のＡＰ１２を決定するので、同じロケーションにあるＡＰ１２のみが切替先の候補となる。すなわち、異なるロケーションにあるＡＰ１２のステータスを確認する必要がないので、切替先のＡＰ１２の決定時の処理負担を軽減できる。
【００４７】
また、第２の実施の形態の無線通信端末１０は、第１の実施の形態の無線通信端末１０と同様に、無線通信端末１０の主導で通信切替えを行えるという効果を有する。
【００４８】
なお、第２の実施の形態において、通信接続中のＡＰ１２と同じグループに属するＡＰ１２のステータスのみを随時取得する構成としてもよい。これにより、ステータスの問合せ処理を軽減することができる。
【００４９】
以上、本発明の無線通信端末について、実施の形態を挙げて詳細に説明したが、本発明は上記した実施の形態に限定されるものではない。
【００５０】
上記した実施の形態において、図３および図８にステータスリスト記憶部２４に記憶されるデータの例を示したが、ステータスリスト記憶部に記憶されるデータは、上記したデータに限定されない。例えば、ＡＰ１２への問合せの時間間隔や休止時間を記憶してもよい。また、例えば、通信によって行われているデータのダウンロードやアップロードの完了率や、データ種別などのアプリケーションの情報も記憶してもよい。これにより、通信中の処理が完了する時刻を予測できるので、切替先のＡＰ１２の決定に利用できる。
【００５１】
また、上記した実施の形態においては、「ＲＳＳＩ」「Ｌｉｎｋ  Ｑｕａｌｉｔｙ」「接続負荷」の順に数値を判断することで切替先のＡＰ１２の優先順位を決定しているが、切替先のＡＰ１２の優先順位の決定方法は、他の方法を用いてもよい。例えば、「ＲＳＳＩ」「Ｌｉｎｋ  Ｑｕａｌｉｔｙ」「接続負荷」のそれぞれに重み係数を設定し、それぞれの数値に重み係数を加重して総合スコアを計算し、総合スコアに基づいて優先順位を決定してもよい。
【産業上の利用可能性】
【００５２】
以上説明したように、本発明は、無線通信端末主導で切替制御を行って切替処理の負担を各無線通信端末に分散できるというすぐれた効果を有し、ブルートゥース通信機能を有する無線通信端末の回線切替方式等に適している。
【図面の簡単な説明】
【００５３】
【図１】第１の実施の形態の無線通信端末の構成を示す図
【図２】無線通信端末が適用される無線通信システムの構成を示す図
【図３】ステータスリスト記憶部に記憶されたデータの例を示す図
【図４】第１の実施の形態の無線通信端末の動作を示す図
【図５】第１の実施の形態の無線通信端末がステータスリストを生成する動作を示す図
【図６】第１の実施の形態の無線通信端末によるアクセスポイントの切替え動作を示す図
【図７】第２の実施の形態の無線通信端末の構成を示す図
【図８】ステータスリスト記憶部に記憶されたデータの例を示す図
【図９】アクセスポイント情報記憶部に記憶されたデータの例を示す図
【符号の説明】
【００５４】
１  無線通信システム
１０  無線通信端末
１２  アクセスポイント
１４  リモートホスト
２０  電波状態監視部
２２  ステータス問合部
２４  ステータスリスト記憶部
２６  アクセスポイント決定部
２８  通信制御部
３０  アクセスポイント情報記憶部
【図１】
2007006089.tif 000003
【図２】
2007006089.tif 000004
【図３】
2007006089.tif 000005
【図４】
2007006089.tif 000006
【図５】
2007006089.tif 000007
【図６】
2007006089.tif 000008
【図７】
2007006089.tif 000009
【図８】
2007006089.tif 000010
【図９】
2007006089.tif 000011